(57)【要約】【課題】ＩＤタグの所有者の現在の所在地を正確に検出し、誤検出の発生を防止する。【解決手段】ビル利用者が携帯するＩＤタグの個人ＩＤをリーダ２で読み取り、各リーダ２の設置場所に基づいて、ビル利用者の所在管理を行うセキュリティシステムにおいて、執務室７の入口側のリーダ２を各階分の複数のシステムコードに対応したリーダとしておき、そのリーダ２がＩＤタグを検知して認証成立した場合に、ＩＤタグ内のシステムコードを当該執務室７の所在階のシステムコードに変更するようにし、一方、執務室７内に設置したリーダ２を、当該執務室７の所在階のシステムコードを記憶したＩＤタグのみに反応するようにしておき、執務室７内のリーダ２が他の階に存在するＩＤタグには反応しない構成とした。【選択図】図１
2014021886.tif 000002
【特許請求の範囲】
【請求項１】
複数の階を備えた建物に対して用いられるセキュリティシステムであって、
前記建物の各階ごとに予め設定されたシステムコードを記憶するシステムコード記憶手段と、
前記建物の利用者が携帯し、当該利用者に付された固有の識別情報を記憶するとともに、前記システムコードのうちの１つを記憶する可搬型記憶媒体と、
前記建物内の居室の入口付近に設けられ、前記可搬型記憶媒体に対する読み取りエリアが所定の第１の距離に設定された居室入口側リーダと、
前記居室内に設けられ、前記可搬型記憶媒体に対する読み取りエリアが前記所定の第１の距離より長い所定の第２の距離に設定されている居室内リーダと、
前記居室の出口付近に設けられ、前記可搬型記憶媒体に対する読み取りエリアが前記所定の第１の距離に設定されている居室出口側リーダと、
前記居室内リーダの設置場所を記憶したリーダ設置場所記憶手段と、
前記居室内リーダに接続され、前記居室内リーダが読み取った前記可搬型記憶媒体に記憶された前記利用者の固有の識別情報と前記リーダ設置場所記憶手段に記憶された前記居室内リーダの設置場所の情報とに基づいて、前記可搬型記憶媒体を携帯する利用者の現在の所在場所を判定する利用者所在場所判定手段と、
前記利用者所在場所判定手段によって判定された前記利用者の現在の所在場所の情報を、利用者毎に記憶する所在場所情報記憶手段と、
前記所在場所情報記憶手段に記憶された所在場所の情報を出力する所在場所情報出力手段と
を備え、
前記居室内リーダは、自身に対応する居室の所在階に対して設定されたシステムコードと前記可搬型記憶媒体が記憶しているシステムコードとが一致した場合にのみ、当該可搬型記憶媒体に記憶された前記利用者の固有の識別情報を読み取り、
前記居室入口側リーダは、前記可搬型記憶媒体が記憶しているシステムコードが前記各階に対して設定された複数のシステムコードのうちのいずれかである場合に、当該可搬型記憶媒体に記憶された前記利用者の固有の識別情報を読み取り、読み取った前記識別情報に基づいて認証を行って、認証が成立した場合に、自身に対応する居室の入口扉の解錠を行うとともに、当該可搬型記憶媒体に記憶されているシステムコードを自身が設置された居室の所在階に対して設定されたシステムコードに書き換える
ことを特徴とするセキュリティシステム。
【請求項２】
前記居室出口側リーダは、自身に対応する居室の所在階に対して設定されたシステムコードと前記可搬型記憶媒体が記憶しているシステムコードとが一致した場合にのみ、当該可搬型記憶媒体に記憶された前記利用者の固有の識別情報を読み取り、当該可搬型記憶媒体に記憶されたシステムコードを、自身に対応する居室の所在階に対して設定されたシステムコード以外の他のシステムコードに書き換える
ことを特徴とする請求項１に記載のセキュリティシステム。
【請求項３】
前記居室内リーダは、前記居室内を区分した複数の空間のそれぞれに対して設置されている
ことを特徴とする請求項１または２に記載のセキュリティシステム。
【請求項４】
前記リーダ設置場所記憶手段は、前記居室内リーダの設置場所を記憶するとともに、さらに、前記居室入口側リーダおよび前記居室出口側リーダの設置場所を記憶し、
前記利用者所在場所判定手段は、前記居室内リーダ、前記居室入口側リーダおよび前記居室出口側リーダに接続され、前記居室内リーダ、前記居室入口側リーダおよび前記居室出口側リーダが読み取った前記可搬型記憶媒体に記憶された前記利用者の固有の識別情報と前記リーダ設置場所記憶手段に記憶された前記居室内リーダ、前記居室入口側リーダおよび前記居室出口側リーダの設置場所の情報とに基づいて、前記可搬型記憶媒体を携帯する利用者の現在の所在場所を判定する
ことを特徴とする請求項１ないし３のいずれか１項に記載のセキュリティシステム。
【請求項５】
複数の階を備えた建物に対して用いられ、当該建物の利用者の所在場所を管理するための所在場所管理方法であって、
前記建物の各階ごとに予め設定されたシステムコードを、記憶装置に記憶させるステップと、
前記建物の利用者が携帯する可搬記憶媒体に、当該利用者に付した固有の識別情報を記憶させるとともに、前記システムコードのうちの１つを記憶させる、ステップと、
前記可搬型記憶媒体に対する読み取りエリアが所定の距離に設定された前記居室内に設置された居室内リーダの設置場所を、前記記憶装置に記憶させるステップと、
前記建物内の居室の入口付近に設けられて前記可搬型記憶媒体に対する読み取りエリアが前記所定の距離よりも短い距離に設定された居室入口側リーダに対して、前記可搬型記憶媒体が当該読み取りエリア内になるように近づけられたときに、前記居室入口側リーダによって、当該可搬型記憶媒体に記憶されているシステムコードを、前記居室入口側リーダに対応する居室の所在階に対して設定されたシステムコードに書き換えるステップと、
前記居室内リーダにより、前記居室内リーダが設置された居室の所在階に対して設定されたシステムコードと前記可搬型記憶媒体が記憶しているシステムコードとが一致しているかを判定し、一致していた場合に、当該可搬型記憶媒体に記憶された前記利用者の固有の識別情報を読み取るステップと、
読み取った前記識別情報と前記記憶装置に記憶された前記居室内リーダの設置場所の情報とに基づいて、前記可搬型記憶媒体を携帯する利用者の現在の所在場所を判定するステップと、
判定された前記利用者の現在の所在場所を利用者毎に第２の記憶装置に記憶させるステップと、
前記第２の記憶装置に記憶された前記所在場所の情報を出力するステップと
を備えたことを特徴とする所在場所管理方法。
【発明の詳細な説明】
【技術分野】
【０００１】
本発明はセキュリティシステムおよび所在場所管理方法に関し、特に、ビル利用者の各個人の固有識別情報を用いて所在管理を行うためのセキュリティシステムおよび所在場所管理方法に関する。
【背景技術】
【０００２】
従来のセキュリティシステムにおいて、長距離タグを利用してビル内のビル利用者の所在管理を行う場合の構成を図１に示す。ビル内の所定の複数の位置（場所）にリーダ２を設置し、ビル利用者の各個人がＩＤタグ（図示省略）を所持する。ＩＤタグには、各個人を識別するための固有識別情報としての個人ＩＤが記憶されている。リーダ２は、各階の廊下６に設けられたエレベータ乗り場５や、執務室７（居室）の出入扉８付近、および、執務室７内に設置されている。こうして、○階執務室７内、○階エレベータ乗り場５などのリーダ２の設置場所とＩＤタグの所持者の個人ＩＤとを予めシステムに登録しておくことで、リーダ２がＩＤタグ内の個人ＩＤを読取ったとき、リーダ２の設置場所とＩＤタグの所有者の情報とから、ＩＤタグの所有者個人の現在の位置が特定される。こうして、従来のセキュリティシステムでは、ＩＤタグの各所有者が現在どこにいるかの所在管理を行っていた。
【０００３】
また、複数設置されているリーダ２のうち、エレベータ乗り場５や執務室７の出入扉８付近に設けられているリーダ２は、読み取ったＩＤタグの情報で認証し、エレベータ呼び登録や出入扉８の解錠をするために設置されているため、単に通過する人が所有するＩＤタグの読み取りはせず、エレベータ呼び登録や出入扉８の解錠などの目的で近づいたＩＤタグのみ読み取るように、読み取りエリア３ａを短く設定している。
【０００４】
一方、執務室７内に設置されているリーダ２は、限られた設置場所や設置数で、より広いエリアからＩＤタグを読み取るために、読み取りエリア３ｂを長く設定している。しかしながら、読み取りエリアの距離を長くすると、床や天井が電波を吸収しない場合は、上の階や下の階のＩＤタグを床や天井を介してリーダ２が読み取る可能性があり、ＩＤタグの所有者の現在の所在階を誤検出する可能性があるという問題点があった。
【０００５】
例えば、図１のリーダ２ａは、ビルの２階の床に設置されたもので、その読み取りエリア３ｂ−２ａは、図１に示すように、２階だけでなく、１階にも及んでいる。そのため、１階にいるビル利用者が所有するＩＤタグが、１階の天井付近に近付いた場合には、１階の天井と２階の床とを介して、２階のリーダ２ａが読み取ってしまう可能性が考えられる。この場合には、ＩＤタグの所有者は、実際には１階にいるのに、２階のリーダ２ａが読み取ったため、当該所有者の所在階は「２階」であると誤検出される。
【０００６】
また、図１のリーダ２ｂは、ビルの１階の天井に設置されたもので、その読み取りエリア３ｂ−２ｂは、図１に示すように、１階だけでなく、２階にも及んでいる。そのため、２階にいるビル利用者が所有するＩＤタグが、２階の床付近に近付いた場合には、１階の天井と２階の床とを介して、１階のリーダ２ｂが読み取ってしまう可能性が考えられる。この場合には、ＩＤタグの所有者は、実際には２階にいるのに、１階のリーダ２ｂが読み取ったため、当該所有者の所在階は「１階」であると誤検出される。
【０００７】
なお、別の従来システムとして、例えば特許文献１に記載のものがある。特許文献１に記載の従来システムでは、消費電力を削減し、内蔵電池の長寿命化を図るために、一定時間以内の連続応答を無効とすることが提案されている。しかしながら、特許文献１では、上述したような、所在階の異なるリーダで誤検出してしまう場合の問題点については何ら言及されておらず、当該問題点は残されている。
【先行技術文献】
【特許文献】
【０００８】
【特許文献１】特開２００９−７６０１３号公報
【発明の概要】
【発明が解決しようとする課題】
【０００９】
図１に示した従来のセキュリティシステムおよび特許文献１に記載の従来システムにおいては、執務室７内のリーダ２は、限られた設置場所や設置数で、より広いエリアからのＩＤタグを読み取る目的のために、読み取りエリア３ｂを長く設定しているため、床や天井が電波を吸収しない場合は、上の階や下の階のＩＤタグを床や天井を介して別の階のリーダ２が読み取る可能性があり、ＩＤタグの所有者の現在の所在階を誤検出する可能性があるという問題点があった。
【００１０】
本発明は、かかる問題点を解決するためになされたものであり、ＩＤタグの所有者の現在の所在地を正確に検出し、誤検出の発生を防止するセキュリティシステムおよび所在場所管理方法を得ることを目的とする。
【課題を解決するための手段】
【００１１】
本発明は、複数の階を備えた建物に対して用いられるセキュリティシステムであって、前記建物の各階ごとに予め設定されたシステムコードを記憶するシステムコード記憶手段と、前記建物の利用者が携帯し、当該利用者に付された固有の識別情報を記憶するとともに、前記システムコードのうちの１つを記憶する可搬型記憶媒体と、前記建物内の居室の入口付近に設けられ、前記可搬型記憶媒体に対する読み取りエリアが所定の第１の距離に設定された居室入口側リーダと、前記居室内に設けられ、前記可搬型記憶媒体に対する読み取りエリアが前記所定の第１の距離より長い所定の第２の距離に設定されている居室内リーダと、前記居室の出口付近に設けられ、前記可搬型記憶媒体に対する読み取りエリアが前記所定の第１の距離に設定されている居室出口側リーダと、前記居室内リーダの設置場所を記憶したリーダ設置場所記憶手段と、前記居室内リーダに接続され、前記居室内リーダが読み取った前記可搬型記憶媒体に記憶された前記利用者の固有の識別情報と前記リーダ設置場所記憶手段に記憶された前記居室内リーダの設置場所の情報とに基づいて、前記可搬型記憶媒体を携帯する利用者の現在の所在場所を判定する利用者所在場所判定手段と、前記利用者所在場所判定手段によって判定された前記利用者の現在の所在場所の情報を、利用者毎に記憶する所在場所情報記憶手段と、前記所在場所情報記憶手段に記憶された所在場所の情報を出力する所在場所情報出力手段とを備え、前記居室内リーダは、自身に対応する居室の所在階に対して設定されたシステムコードと前記可搬型記憶媒体が記憶しているシステムコードとが一致した場合にのみ、当該可搬型記憶媒体に記憶された前記利用者の固有の識別情報を読み取り、前記居室入口側リーダは、前記可搬型記憶媒体が記憶しているシステムコードが前記各階に対して設定された複数のシステムコードのうちのいずれかである場合に、当該可搬型記憶媒体に記憶された前記利用者の固有の識別情報を読み取り、読み取った前記識別情報に基づいて認証を行って、認証が成立した場合に、自身に対応する居室の入口扉の解錠を行うとともに、当該可搬型記憶媒体に記憶されているシステムコードを自身が設置された居室の所在階に対して設定されたシステムコードに書き換えることを特徴とするセキュリティシステムである。
【発明の効果】
【００１２】
本発明は、複数の階を備えた建物に対して用いられるセキュリティシステムであって、前記建物の各階ごとに予め設定されたシステムコードを記憶するシステムコード記憶手段と、前記建物の利用者が携帯し、当該利用者に付された固有の識別情報を記憶するとともに、前記システムコードのうちの１つを記憶する可搬型記憶媒体と、前記建物内の居室の入口付近に設けられ、前記可搬型記憶媒体に対する読み取りエリアが所定の第１の距離に設定された居室入口側リーダと、前記居室内に設けられ、前記可搬型記憶媒体に対する読み取りエリアが前記所定の第１の距離より長い所定の第２の距離に設定されている居室内リーダと、前記居室の出口付近に設けられ、前記可搬型記憶媒体に対する読み取りエリアが前記所定の第１の距離に設定されている居室出口側リーダと、前記居室内リーダの設置場所を記憶したリーダ設置場所記憶手段と、前記居室内リーダに接続され、前記居室内リーダが読み取った前記可搬型記憶媒体に記憶された前記利用者の固有の識別情報と前記リーダ設置場所記憶手段に記憶された前記居室内リーダの設置場所の情報とに基づいて、前記可搬型記憶媒体を携帯する利用者の現在の所在場所を判定する利用者所在場所判定手段と、前記利用者所在場所判定手段によって判定された前記利用者の現在の所在場所の情報を、利用者毎に記憶する所在場所情報記憶手段と、前記所在場所情報記憶手段に記憶された所在場所の情報を出力する所在場所情報出力手段とを備え、前記居室内リーダは、自身に対応する居室の所在階に対して設定されたシステムコードと前記可搬型記憶媒体が記憶しているシステムコードとが一致した場合にのみ、当該可搬型記憶媒体に記憶された前記利用者の固有の識別情報を読み取り、前記居室入口側リーダは、前記可搬型記憶媒体が記憶しているシステムコードが前記各階に対して設定された複数のシステムコードのうちのいずれかである場合に、当該可搬型記憶媒体に記憶された前記利用者の固有の識別情報を読み取り、読み取った前記識別情報に基づいて認証を行って、認証が成立した場合に、自身に対応する居室の入口扉の解錠を行うとともに、当該可搬型記憶媒体に記憶されているシステムコードを自身が設置された居室の所在階に対して設定されたシステムコードに書き換えることを特徴とするセキュリティシステムであるため、ＩＤタグの所有者の現在の所在地を正確に検出し、誤検出の発生を防止することができる。
【図面の簡単な説明】
【００１３】
【図１】本発明の実施の形態１に係るセキュリティシステムの全体構成および設置するビルの構成の一例を示した構成図である。
【図２】本発明の実施の形態１に係るセキュリティシステムのサーバ４および制御部１の構成を示した構成図である。
【図３】本発明の実施の形態１に係るセキュリティシステムのシステムコードテーブルの一例を示した説明図である。
【図４】本発明の実施の形態１に係るセキュリティシステムのサーバ４内の個人の所在場所情報テーブルの一例を示した説明図である。
【図５】本発明の実施の形態１に係るセキュリティシステムのリーダ２の制御部１の動作を示したフローチャートである。
【図６】本発明の実施の形態１に係るセキュリティシステムの制御部１内のリーダ設置場所情報テーブルの一例を示した説明図である。
【発明を実施するための形態】
【００１４】
実施の形態１．
以下、図面を用いて、本発明の実施の形態１に係るセキュリティシステムについて説明する。本実施の形態１に係るセキュリティシステムの全体構成および設置するビルの一例は、図１に示したものと基本的に同じであるため、ここでは、図１を参照することとする。また、図２は、本実施の形態１に係る図１のサーバ４および制御部１の構成を示した構成図であり、図３は、本実施の形態１に係るシステムコードテーブルの一例である。図３のシステムコードテーブルの内容は、オペレータの操作により、図２に示すサーバ４の入力部４ａから、各階の出入扉８やリーダ２の配置によって入力され、サーバ４の通信部４ｂから各制御部１に送信され、制御部１毎に記憶部１ａに記憶される。あるいは、リーダ２の設置場所（出入扉８の入口側、出口側、エレベータ乗り場５、執務室７（居室）内、の４種類の種別）に基づいて、サーバ４の処理部４ｅにより、自動的に、システムコードテーブルの内容が入力されるようにしてもよい。また、図４は、サーバ４内の個人の所在場所情報テーブルであり、制御部１の通信部１ｂからサーバ４に送られた情報により、サーバ４の記憶部４ｃに記憶され、オペレータの呼び出しにより、サーバ４の表示部４ｄに個人ごとの所在場所が表示される。また、図５は、本実施の形態１に係る出入扉８の入口側に設けられたリーダ２の動作を示したフローチャートである。また、図６は、本発明の実施の形態１に係る制御部１の記憶部１ａに記憶されたリーダ設置場所情報テーブルの一例を示した説明図である。
【００１５】
本実施の形態１に係るセキュリティシステムは、図１に示すように、複数の階からなるビルに設置することを想定している。各階には、廊下６と執務室７（居室）とが設けられている。執務室７には、出入扉８が設けられている。出入扉８には、リーダ２として、入口側（廊下６に設置）のリーダ２ｃと、出口側（執務室７内に設置）のリーダ２ｄとが設けられている。これらのリーダ２ｃ，２ｄは、ＩＤタグ９（可搬型記憶媒体）の所有者が出入りする際に、出入扉８に設けられた電子錠（図示省略）を解錠するためと、ＩＤタグ９の所有者の所在位置の管理のために設けられている。但し、入口側のリーダ２ｃは、さらに、各個人を執務室７内への入室を許可してよいか否かの通行権限などを照合する認証処理も行う。また、各階の廊下６にはエレベータ乗り場５が設置されている。エレベータ乗り場５にリーダ２として設けられているリーダ２ｅは、ＩＤタグ９の所有者がエレベータを利用する際に、当該所有者を認証し、エレベータ呼び登録を行うためと、ＩＤタグ９の所有者の所在位置の管理のために設けられている。また、執務室７内の複数の位置（場所）に、リーダ２が設けられている。これらのリーダ２は、ＩＤタグ９の所有者の所在位置を管理するために設けられている。
【００１６】
本実施の形態１においては、こうして、○階執務室７内、○階エレベータ乗り場５などのリーダ２の設置場所とＩＤタグ９の所持者の個人ＩＤとを予めセキュリティシステムに登録しておくことで、リーダ２がＩＤタグ９内の個人ＩＤを読取ったとき、リーダ２の設置場所とＩＤタグ９の所有者の情報とから、ＩＤタグ９の所有者個人の現在の位置が特定される。こうして、ＩＤタグ９の各所有者が現在どこにいるかの所在管理を行う。このとき、本実施の形態１においては、他の階の執務室７内に所在するＩＤタグ９を床や天井を介してリーダ２が読み取る誤検出を防止するためにシステムコードを使用する。すなわち、リーダ２は、ＩＤタグ９を読み取る前に、システムコードに基づいてＩＤタグ９の所在階を確認する。当該システムコードについては後述する。
【００１７】
図１の説明に戻る。各リーダ２は、すべて、図１に示すように、各階ごとに設けられた制御部１に接続されている。また、各階の制御部１は、すべて、１つのサーバ４に接続されている。
【００１８】
サーバ４内には、図２に示すように、オペレータの操作により各種の情報（データ）が入力されるキーボードやマウス等からなる入力部４ａと、各制御部１との間で通信を行うための通信部４ｂと、各種の情報（データ）を記憶するための記憶部４ｃと、オペレータの操作により各種の情報（データ）が表示されるディスプレイ等からなる表示部４ｄと、サーバ４内の内部の制御を行う処理部４ｅとが設けられている。
【００１９】
また、各制御部１（制御部１−１，１−２，・・・，１−Ｎ）は、図２に示すように、各種の情報（データ）を記憶するための記憶部１ａと、サーバ４との間およびリーダ２との間で通信を行うための通信部１ｂと、制御部１内の内部の制御を行う処理部１ｃとが設けられている。各制御部１（制御部１−１，１−２，・・・，１−Ｎ）は、同一の構成を有しているため、図２では、一部の制御部（制御部１−３，・・・，制御部１−Ｎ）については図示を省略している。
【００２０】
各制御部１（制御部１−１，１−２，・・・，１−Ｎ）は、各階ごとに設けられ、図２に示すように、その階に設置されたすべてのリーダ２に接続されている。図２の例においては、制御部１−１は、ビルの５階に設けられ、５階に設置された４つのリーダ２（リーダ（１），リーダ（２），リーダ（３），リーダ（４））に接続されている場合を例に挙げている。また、制御部１−２は、ビルの４階に設けられ、４階に設置された４つのリーダ２（リーダ（１１），リーダ（１２），リーダ（１３），リーダ（１４））に接続されている場合を例に挙げている。制御部１−３，・・・，制御部１−Ｎについても同様である。各リーダ２は、それぞれの読み取りエリア３内に存在するＩＤタグ９から、当該ＩＤタグ９内に記憶されたシステムコードや所有者の個人ＩＤを読み取る。
【００２１】
図２の例における各リーダ２について説明すると、リーダ（１）は、５階の執務室７の出入扉８の入口側（廊下６）に設置されており、リーダ（２）は、５階の執務室７の出入扉８の出口側（執務室７）に設置されており、リーダ（３）は、５階の執務室７内の南側の天井に設置され、リーダ（４）は、５階の執務室７内の北側の天井に設置されている。また、リーダ（１１）は、４階の執務室７の出入扉８の入口側（廊下６）に設置されており、リーダ（１２）は、５階の執務室７の出入扉８の出口側（執務室７）に設置されており、リーダ（１３）は、５階の執務室７内の南側の天井に設置され、リーダ（１４）は、５階の執務室７内の北側の天井に設置されている。なお、実際には、制御部１−１，１−２には、これ以上のリーダ２が接続されており（少なくとも、さらに、エレベータ乗り場５に設置されたリーダ２ｅが接続されている。）、また、各執務室７内には、これ以上の個数のリーダ２を設けることが望ましいが、リーダ２の設置数については、執務室７内の広さ（面積）や構造（部屋の形や柱の位置、机や棚の配置など）等により、適宜決定すればよい。但し、執務室７内のリーダ２は、執務室内７の個人の所在を管理するためのものであるため、執務室７内を区分した（と想定した場合の）複数の空間のそれぞれに対し１つずつ設けるようにし、なるべく、各リーダ２の互いの読み取りエリアが重複せず、かつ、いずれの読み取りエリアにも含まれない場所（死角）が発生しないように、各リーダ２の設置場所は工夫することが望ましい。なお、これらのリーダ２の設置場所は、図６に示す、制御部１の記憶部１ａ内のリーダ設置場所情報テーブルに記憶されている。
【００２２】
これらのリーダ２のうち、エレベータ乗り場５に設けられているリーダ２ｅおよび執務室７の出入扉８付近に設けられているリーダ２ｃ，２ｄは、読み取ったＩＤタグ９内の情報に基づいてエレベータ呼び登録や出入扉８の解錠をするために設置されているため、その近くを単に通過する人が所有しているＩＤタグ９の読み取りはせず、エレベータ呼び登録や出入扉８の解錠などの目的で、リーダ２に対して所定範囲以内の近距離でＩＤタグ９をかざした場合にのみ、ＩＤタグ９内の情報を読み取ることができるように、読み取りエリア３ａを、予め設定した所定の短い距離（例えば、５０ｃｍ）に設定している。したがって、当該所定の短い距離を５０ｃｍとすると、リーダ２に対して５０ｃｍ以内の距離まで近づいたときに、リーダ２がＩＤタグ９を検知する。一方、執務室７内に設置されているリーダ２は、限られた設置場所や設置数で、より広いエリアからＩＤタグ９内の情報を読み取るために、読み取りエリア３ｂを、予め設定した所定の長い距離（例えば、５ｍ）に設定している。したがって、当該所定の距離を５ｍとすると、リーダ２に対して５ｍ以内の距離まで近づいたときに、リーダ２がＩＤタグ９を検知する。このように、各リーダ２は、その目的に応じて、読み取りエリアの距離が適宜設定されている。
【００２３】
本実施の形態においては、これらの各リーダ２に対しては、当該リーダ２が反応するＩＤタグ９が限定できるように、システムコードが設定されている。図３に、各リーダ２に対して設定されたシステムコードを記憶したシステムコードテーブルの一例を示す。各リーダ２は、自身に対して「読み取り可能システムコード」として設定されているシステムコードを記憶しているＩＤタグ９のみに反応して個人ＩＤ（必要に応じて、通行権限等の他の個人の固有情報）を読み取るが、他のシステムコードを記憶しているＩＤタグ９からは個人ＩＤ等は読み取らない。図３のシステムコードテーブルの内容は、図２に示すサーバ４の入力部４ａから、各階の出入扉８やリーダ２の配置に基づいて入力され、サーバ４の通信部４ｂから各制御部１に送信され、制御部１毎に記憶部１ａに記憶される。あるいは、リーダ２の設置場所（出入扉８の入口側、出口側、エレベータ乗り場５、執務室７（居室）内、の４種類の種別）に基づいて、サーバ４の処理部４ｅにより、自動的に、システムコードテーブルの内容が入力されるようにしてもよい。なお、図３（ａ）は、制御部１−１の記憶部１ａに記憶されたシステムコードテーブルの一例であり、図３（ｂ）は、制御部１−２の記憶部１ａに記憶されたシステムコードテーブルの一例である。各システムコードテーブルには、各リーダ２ごとに、リーダ固有の「リーダ番号」、リーダが読み取りを行うことを示す「読み取り可能システムコード」、ＩＤタグ９内のシステムコードの書き換えの有無を示す「書き換えフラグ」、書き換えを行う場合の書き換え後のシステムコードを示す「書き換え後システムコード」の情報が記憶されている。
【００２４】
システムコードは、各階ごとに、互いに異なる重複しない固有のコードが設定されている。図３の例では、５階には「ＡＡＡＡ」というシステムコードが設定され、４階は「ＢＢＢＢ」というシステムコードが設定されている。他のシステムコード「ＸＸＸＸ」、「ＹＹＹＹ」、「ＺＺＺＺ」は、いずれかの階に対して付されたものである。なお、これらのシステムコードは単に例であり、これに限定されるものではない。すなわち、システムコードは、半角４桁でなくても任意の桁数でよく、また、アルファベットのみの組み合わせだけでなく、アルファベットと数字の組み合わせにしてもよい。
【００２５】
ＩＤタグ９には、所有者の個人ＩＤとともに、システムコードが１つ記憶されている。各リーダ２は、ＩＤタグ９を読み取るときに、ＩＤタグ９に記憶されたシステムコードを確認し、自身に読み取り可能システムコードとして予め登録されているシステムコードとＩＤタグ９のシステムコードとが一致しない場合は、当該ＩＤタグ９の読み取りは行わない。一方、各リーダ２は、ＩＤタグ９に記憶されたシステムコードが、自身に登録されているシステムコードと一致した場合は、当該ＩＤタグ９から所有者の個人ＩＤの読み取りを行う。
【００２６】
図３（ａ）のシステムコードテーブルを見ると、５階の執務室７の出入扉８の入口側（廊下６）に設置されたリーダ（１）（リーダ２ｃ）は、読み取り可能システムコードとして、すべての階床分の複数のシステムコード（ＡＡＡＡ，ＢＢＢＢ，・・・，ＸＸＸＸ，ＹＹＹＹ，ＺＺＺＺ）が、読み取り可能なシステムコードとして設定されている。従って、リーダ（１）は、各階分のすべてのシステムコードに対応したリーダとなっている。また、リーダ（１）の書き換えフラグは、書き換え「有り」と設定されていて、書き換え後のシステムコードとして、５階のみに対応する「ＡＡＡＡ」が設定されている。このように、執務室７の出入扉８の入口側（廊下６）に設置されたリーダ２ｃ（リーダ（１））は、すべての階床分の複数のシステムコードに対応可能で、ＩＤタグ９の個人ＩＤを読み取った後に、ＩＤタグ９のシステムコードを、現在のすべての階に対応するシステムコード（ＡＡＡＡ，ＢＢＢＢ，・・・，ＸＸＸＸ，ＹＹＹＹ，ＺＺＺＺ）から、５階のみに対応する「ＡＡＡＡ」に書き換える。
【００２７】
一方、５階の執務室７の出入扉８の出口側（執務室７内）に設置されたリーダ（２）（リーダ２ｄ）は、読み取り可能システムコードとして、５階のみに対応する「ＡＡＡＡ」が設定されている。従って、それ以外のシステムコードを記憶したＩＤタグ９が読み取り可能エリア３内に入ってきても、当該ＩＤタグ９は読み取らない。また、リーダ（２）の書き換えフラグは、書き換え「有り」と設定されていて、書き換え後のシステムコードとして、５階に対応する「ＡＡＡＡ」以外の別の階のシステムコード（ＸＸＸＸ，ＹＹＹＹ，ＺＺＺＺなど）のいずれか１つが設定されている。これにより、執務室７から退室するときに、ＩＤタグ９内のシステムコードが他の階のシステムコードに変更されるため、執務室７から退室した後は、執務室７の出入扉８や壁を介して、執務室７内のリーダ２によりＩＤタグ９の個人ＩＤを読み取られることはない。なお、リーダ（２）の書き換え後のシステムコードを、５階に対応する「ＡＡＡＡ」以外の別の階のシステムコードにすると説明したが、書き換え後のシステムコードを、その階と、さらに、その上下の階のシステムコードにしないようにすると、誤検出がより防止できる。その理由としては、執務室７から退室した後に、別の階の執務室７内のリーダ２により、天井や床を介してＩＤタグ９の個人ＩＤを読み取られる可能性があるので、その階だけでなく、その階の上下の階に対応したシステムコード以外のシステムコードに書き換えることがより望ましい。このように、執務室７の出入扉８の出口側（執務室７内）に設置されたリーダ２ｄは、それが設置されている階のシステムコードを記憶したＩＤタグ９のみに反応し、ＩＤタグ９の個人ＩＤを読み取った後に、ＩＤタグ９のシステムコードを、現在の自身の階のみに対応するシステムコードから、すべての階に対応するシステムコード（ＡＡＡＡ，ＢＢＢＢ，・・・，ＸＸＸＸ，ＹＹＹＹ，ＺＺＺＺ）に書き換える。
【００２８】
また、リーダ（３）およびリーダ（４）は、５階の執務室７内に設置されたリーダである。リーダ（３）およびリーダ（４）の読み取り可能システムコードとしては、図３（ａ）に示されるように、５階のみに対応する「ＡＡＡＡ」が設定されている。従って、それ以外のシステムコードを記憶したＩＤタグ９が読み取り可能エリア３内に入ってきても、当該ＩＤタグ９は読み取らない。また、リーダ（３），（４）の書き換えフラグは、書き換え「無」と設定されていて、システムコードの書き換えは行わない。このように、執務室７内に設置されたリーダ２は、それが設置されている階のシステムコードを記憶したＩＤタグ９のみに反応し、ＩＤタグ９の個人ＩＤを読み取った後も、ＩＤタグ９のシステムコードの書き換えは行わない。
【００２９】
なお、図３（ｂ）のシステムコードテーブルについては、図３（ａ）のシステムコードテーブルと同様であるため、ここでは説明を省略する。
【００３０】
なお、補足となるが、上記の説明において、ＩＤタグ９には、所有者の個人ＩＤとともに、システムコードが１つ記憶されていると説明したが、システムコードの初期値（デフォルト値）は、各階に付された複数のシステムコード（ＡＡＡＡ，ＢＢＢＢ，・・・，ＸＸＸＸ，ＹＹＹＹ，ＺＺＺＺ）のうちの任意のいずれかのシステムコードでよい。但し、いずれにおいても、最初に執務室７内に入る際には、その執務室７の出入扉８の入口側（廊下６）に設置されたリーダ２ｃにより、当該初期値を、当該執務室７が設置された階に対して設定されたシステムコードに書き換える必要がある。そうすることで、システムコードの初期値がいずれであっても、その後の処理は問題なく行うことができる。
【００３１】
このようにして、執務室７の出入扉８の入口側のリーダ２（リーダ（１）、リーダ（１１））が、ビル利用者が執務室７に入室する際に、認証を行い、認証成立後に、ＩＤタグ９内のシステムコードを書き換え、その後は、執務室７内のリーダ２（リーダ（３），（４）、リーダ（１３），（１４））がシステムコードを書き換えないので、ビル利用者のＩＤタグ９内は、ビル利用者が執務室７内に所在する間は、ずっと、書き換え後のシステムコードのままである。従って、５階の執務室７内に存在するビル利用者のＩＤタグ９内のシステムコードはすべて「ＡＡＡＡ」となっており、４階の執務室７内に存在するビル利用者のＩＤタグ９内のシステムコードはすべて「ＢＢＢＢ」となる。執務室７内のリーダ２の読み取り可能エリア３は、限られた設置場所や設置数で、より広いエリアからＩＤタグ９を読み取るために、読み取り距離が長く設定されているが、読み取り可能システムコードが、図３のリーダ（３），（４）および（１３），（１４）のように、その階にのみ対応するシステムコード（「ＡＡＡＡ」，「ＢＢＢＢ」）となっているので、執務室７内のリーダ２は、ＩＤタグ９の読み取り前にシステムコードを用いて、そのＩＤタグ９が読み取り可能か否かを確認すれば、他の階に存在するビル利用者のＩＤタグ９を、天井や床を介して読み取ることはない。これにより、従来の問題点であった誤検出の問題は発生しない。
【００３２】
各階の執務室７の出入扉８の入口側に設けられたリーダ２の動作について、図５のフローチャートを用いて説明する。
【００３３】
まず、リーダ２は、常に（あるいは、一定の周期で）、ＩＤタグ９を読み取ったかどうか判断し（ステップＳＴ１）、読み取りするまで、ステップＳＴ１の処理を続ける。一方、ＩＤタグ９を読み取った場合（ステップＳＴ１：ＹＥＳ）、制御部１の記憶部１ａ内に記憶されている図３のシステムコードテーブルを参照して、当該ＩＤタグ９に記憶されたシステムコードが、リーダ２自身に対して登録されている読み取り可能システムコードか判断する。登録されたものでない場合（ステップＳＴ２：ＮＯ）、ステップＳＴ１に戻る。一方、登録されているものである場合（ステップＳＴ２：ＹＥＳ）、ＩＤタグ９内の個人ＩＤを読み取り、当該個人ＩＤの通行権限などを照合する（ステップＳＴ３）。なお、個人ＩＤの通行権限はリーダ２ごとに予め設定されており、当該リーダ２が設置されている執務室７の出入扉８からの入室が許可されている個人（ビル利用者）の個人ＩＤのリストが、リーダ２内または制御部１の記憶部１ａ内に予め記憶されている。リーダ２は、当該リストの中に、いま読み取ったＩＤタグ９内の個人ＩＤが登録されているか否かの照合を行い、通行権限のあるビル利用者か否かの認証を行う。照合の結果、ＮＧ（認証失敗）だった場合（ステップＳＴ３：ＮＯ）には、通行権限のないビル利用者であるため、ステップＳＴ１に戻る。一方、照合の結果、ＯＫ（認証成立）の場合（ステップＳＴ３：ＹＥＳ）は、通行権限のあるビル利用者であるため、図３のシステムコードテーブルから書き換え有無を判断し（ステップＳＴ４）、書き換え有の場合（ステップＳＴ４：ＹＥＳ）、ＩＤタグ９内のシステムコードを書き換える（ステップＳＴ５）。その後、出入扉８の解錠を行うとともに、ＩＤタグ９から読み取った個人ＩＤと自身のリーダ番号とを、利用者個人の所在場所情報として制御部１に送信する（ステップＳＴ６）。制御部１は、それを受けて、図４のサーバ４の記憶部４ｃに記憶されている個人の所在場所情報を更新するために、当該情報をサーバ４に送信する。一方、ステップＳＴ４での書き換えが無の場合（ステップＳＴ４：ＮＯ）は、ステップＳＴ５の書き換え処理を行なわずに、ステップＳＴ６に進み、同様に、個人毎の所在場所情報を制御部１に送信する。但し、本実施の形態では、出入扉８の入口側に設置されたリーダ２においては、必ず、入室の際に、システムコードの書き換えを行うものであるため、ステップＳＴ４の処理からステップＳＴ６の処理にジャンプすることはない。
【００３４】
なお、図５のフローチャートは、出入扉８の入口側に設けられたリーダ２の動作の流れを示しているが、他のリーダ２の動作は、図５のフローチャートの各ステップのうち、ステップＳＴ３の認証処理だけを行わないものとなり、他は図５とすべて同じである。従って、他のリーダ２の動作は、図５のフローチャートから、ステップＳＴ３の認証処理を削除した動作（すなわち、ステップＳＴ１，ＳＴ２，ＳＴ４〜ＳＴ６）となるため、ここでは説明を省略する。
【００３５】
図４は、サーバ４内の個人の所在場所情報テーブルの一例である。各リーダ２は、上述したように、ＩＤタグ９の個人ＩＤを読み取ると、自身のリーダ番号と読み取った個人ＩＤとを制御部１に送信する。制御部１は、リーダ番号に基づいて、記憶部１ａに記憶された図６に示すリーダ設置場所情報テーブルから当該リーダの設置場所を抽出し、当該設置場所を個人ＩＤの所有者の現在の所在場所と判定する。そうして、制御部１は、通信部１ｂから、サーバ４の通信部４ｂに、個人ＩＤとそのＩＤタグ９の所有者の現在の所在場所の情報とを送信する。サーバ４は、当該情報に基づいて、サーバ４の記憶部４ｃ内の個人の所在場所情報テーブル内の所在場所データとして当該データを記憶（あるいは更新）する。そうして、オペレータの呼び出しにより、サーバ４の表示部４ｄに、個人ごとの所在場所が表示される。
【００３６】
図４の例で各個人の所在場所情報について説明すると、個人Ａは、図２のリーダ（３）でＩＤタグ９の個人ＩＤを読み取られたため、リーダ（３）の設置場所に基づいて、個人Ａの所在場所が「５階南」と記憶されている。また、個人Ｃは、図２のリーダ（４）でＩＤタグ９の個人ＩＤを読み取られたため、リーダ（４）の設置場所に基づいて、所在場所が「５階北」と記憶されている。個人Ｅは、リーダ（１）で個人ＩＤを読み取られたが、その後、リーダ（３）または（４）での読み取りがない状態で、執務室７内にいるものの、執務室７内の場所が特定できない状態であるため、所在場所が「５階」となっている。個人Ｂ、個人Ｄについては、まだ一度も個人ＩＤが読み取られていないか、あるいは、執務室７の出口側のリーダ（２）及び／または５階のエレベータ乗り場５に設置されたリーダ２で個人ＩＤを読み取られたため（移動先が特定できず）、所在場所が特定できない状態で、所在場所のデータが記憶されていない。なお、執務室７の出口側のリーダ（２）及び／または５階のエレベータ乗り場５に設置されたリーダ２で個人ＩＤを読み取られた場合には、所在場所を「５階」と記憶してもよいが、当該個人は、「５階」にとどまらずに、別の場所への移動が予想されるため、執務室７の出口側のリーダ（２）及び／または５階のエレベータ乗り場５に設置されたリーダ２で個人ＩＤを読み取った時点で、所在場所のデータを消去する。同様に、個人Ｈはリーダ（１３）で、個人Ｊはリーダ（１４）で、個人Ｌはリーダ（１）で個人ＩＤを読み取られたため、所在場所が、それぞれ、「４階南」、「４階北」、「４階」となっている。
【００３７】
このように、本実施の形態においては、ビル利用者が携帯するＩＤタグ９の個人ＩＤをリーダ２で読み取り、各リーダ２の設置場所に基づいて、ビル利用者の所在管理を行うセキュリティシステムにおいて、執務室７の入口側に、読み取りエリアの距離を短くしたリーダ２を設置し、当該リーダ２を各階分の複数のシステムコードに対応したリーダとしておき、そのリーダがＩＤタグ９を検知して認証成立した場合に、ＩＤタグ９内のシステムコードを当該執務室７の所在階のシステムコードに変更するようにし、一方、執務室７内に設置したリーダ２を、当該執務室７の所在階のシステムコードを記憶したＩＤタグ９のみに反応するようにしておき、執務室７内のリーダ２が、他の階に存在するＩＤタグ９には反応しないようにした。こうすることで、リーダ２による所在階の誤検出を防止できるため、リーダ２を床や天井に設置する際に電波を吸収するための遮蔽工事が不要となり、工事費用を削減することができる。また、執務室７内のリーダ２の読み取り距離を長くできるため、リーダ２の設置個数を減らすことも可能で、その分だけさらに費用を削減できるとともに、多数のリーダ２を設置する場合に比べて設置工事の手間も少なくすることができる。
【００３８】
なお、上記の説明において、エレベータ乗り場５に設置されたリーダ２がエレベータ呼び登録に用いられると説明したが、その場合には、ＩＤタグ９を携帯している所有者の所属部署の執務室７が所在する所在階の情報を、エレベータ制御盤（図示せず）が、各所有者の個人ＩＤごとに予め記憶しており（すなわち、個人ＩＤとその個人の所属部署の所在階の情報との対応テーブルを予め記憶）、エレベータ呼び登録の際には、当該所在階の情報に基づいて、エレベータ呼び登録を、「上方向」の呼び登録にするか、あるいは、「下方向」の呼び登録にするかを決定して、エレベータ呼び登録を行うようにすることが望ましい。具体的には、個人Ａが、例えば、５階にある執務室の部署に所属しているとすると、５階以外のいずれの階でエレベータ呼びを行っても、５階の自身の部署に行く可能性が高いと想定されるため、個人Ａが５階よりも下の階（例えば、１階）のエレベータ乗り場５でエレベータ呼び登録をする場合には、「上方向」が登録され、個人Ａが５階よりも上の階（例えば６階など）でエレベータ呼び登録をする場合には「下方向」が登録される。また、個人Ａが５階のエレベータ乗り場５でエレベータ呼び登録をする場合には、１階に行く可能性が高いため、「下方向」が登録される。但し、こうして自動的に登録された方向と逆の方向に行きたい場合も想定されるため、エレベータ呼び登録により点灯したエレベータ呼び釦を例えば２回連続して利用者が押下することにより当該エレベータ呼び登録がキャンセルできる構成としておき、キャンセル後は、ＩＤタグ９を用いずに、エレベータ呼び釦の押し下げ動作により、エレベータ呼び登録を行うようにする。こうすることにより、リーダ２を、利用者の所在管理の目的だけでなく、エレベータ呼び登録にも利用できて、便利である。
【００３９】
また、上記の説明においては、利用者が携帯する個人ＩＤやシステムコードを記憶した可搬型記憶媒体として、ＩＤタグ９を例に挙げて説明したが、その場合に限らず、個人ＩＤやシステムコードが記憶でき、リーダ２によってそれらの情報が読み取れる構成を有したものであればよいので、例えば、携帯電話機やＩＣカードなどの他の可搬型記憶媒体を用いるようにしてもよく、また、それらのうちの２種類以上から利用者が自由に選択したものを使用できる構成としてもよい（すなわち、２種類以上の可搬型記憶媒体に対応可能なシステムとしてもよい）。
【００４０】
なお、上記の説明においては、図４の個人毎の所在場所情報の出力手段として、サーバ４の表示部４ｄの表示させる例について説明したが、その場合に限らず、個人毎の所在場所情報の出力手段としてプリンタ等から構成された印刷部を設け、オペレータの操作に応じて、個人毎の所在場所情報を印刷できるようにしてもよい。あるいは、個人毎の所在場所情報の出力手段として、外部に設けられた外部装置に当該情報を送信する送信部（インターネット等の通信手段またはファクシミリ装置など）を設け、オペレータの操作に応じて、個人毎の所在場所情報を送信できる構成としてもよい。
【００４１】
なお、上記の説明においては、ビル利用者（ＩＤタグ９の所有者）の所在管理を、執務室７内に設置されたリーダ２だけでなく、執務室７の出入扉８付近に設置されたリーダ２ｃ，２ｄや、エレベータ乗り場５に設置されたリーダ２ｅも用いる例について説明したが、その場合に限らず、ビル利用者（ＩＤタグ９の所有者）の所在管理を、執務室７内に設置されたリーダ２だけを用いて行うようにしてもよい（執務室７の出入扉８付近に設置されたリーダ２ｃ，２ｄは認証や施解錠のみに使用し、エレベータ乗り場５に設置されたリーダ２ｅはエレベータ呼び登録のみに用いる。）。
【符号の説明】
【００４２】
１，１−１，１−２，１−３，１−Ｎ  制御部、２，２ａ，２ｂ，２ｃ，２ｄ，２ｅ  リーダ、３，３ａ，３ｂ  読み取りエリア、４  サーバ、５  エレベータ乗り場、６  廊下、７  執務室、８  出入扉、９  ＩＤタグ。
【図１】
2014021886.tif 000003
【図２】
2014021886.tif 000004
【図３】
2014021886.tif 000005
【図４】
2014021886.tif 000006
【図５】
2014021886.tif 000007
【図６】
2014021886.tif 000008